(57)【要約】【課題】本発明は、カーテン表側にリングテープの縫い目を付けることなく、裏側にリングを縫い付けることにより、美感のあるシェードカーテンを提供することを目的とするものである。【解決手段】本発明は、裏地の内面に複数のテープを縦方向に縫合した上で、前記裏地の内面と表地の内面とを合わせた状態で表地に対し前記テープを熱圧着し、前記裏地の外側から裏地を通して前記テープに複数のリングを縫合することにより、カーテン表側に縫い目を付けることなくカーテン裏側にリングを取り付けることを特徴とするシェードカーテンの構成とした。【選択図】図１
2010022478.tif 000002
【特許請求の範囲】
【請求項１】
裏地の内面に複数のテープを縦方向に縫合した上で、前記裏地の内面と表地の内面とを合わせた状態で表地に対し前記テープを熱圧着し、前記裏地の外側から裏地を通して前記テープに複数のリングを縫合することにより、カーテン表側に縫い目を付けることなくカーテン裏側にリングを取り付けることを特徴とするシェードカーテン。
【発明の詳細な説明】
【技術分野】
【０００１】
本発明は、カーテンの表側及び裏側の美感を保ちつつ、光漏れも防止することができるシェードカーテンに関するものである。
【背景技術】
【０００２】
シェードカーテンは、ブラインドのように生地を上下に移動させて開閉するカーテンである。カーテンの裏側にリングシートを縫い付け、リングに通した操作ひもを引っ張ることでカーテンを捲り上げることができる。
【０００３】
図６は、従来のシェードカーテンの図である。シェードカーテン５は、生地５ａの裏側に、操作ひも５ｄを通すリング５ｃを複数取り付けたリングシート５ｂを、縦方向に複数縫い付けているため、縫い目から光が漏れてしまう。
【０００４】
特許文献１に記載されているように、カーテン布地を透かしてリングテープなどの付設織物部材の縫い目から光漏れがしない意匠性に優れたシェードカーテンなどのカーテンの発明も公開されている。
【特許文献１】特開２００６−０７５４２９号公報
【発明の開示】
【発明が解決しようとする課題】
【０００５】
しかしながら、特許文献１に記載の発明は、リングテープと裏芯地の縫合による縫い目を表地で隠すことで縫い目からの光漏れを防止しているが、裏芯地上にリングテープが見えるためカーテン裏側の美感が損なわれている。
【０００６】
そこで、本発明は、カーテン表側にリングテープの縫い目を付けることなく、裏側にリングを縫い付けることにより、美感のあるシェードカーテンを提供することを目的とするものである。
【課題を解決するための手段】
【０００７】
本発明は、上記の課題を解決するために、裏地３の内面に複数のテープ４を縦方向に縫合した上で、前記裏地３の内面と表地２の内面とを合わせた状態で表地２に対し前記テープ４を熱圧着し、前記裏地３の外側から裏地３を通して前記テープ４に複数のリング３ｂを縫合することにより、カーテン表側に縫い目を付けることなくカーテン裏側にリング３ｂを取り付けることを特徴とするシェードカーテン１の構成とした。
【発明の効果】
【０００８】
本発明は、表地に貼付したテープにリングを縫い付け、表地に縫い目を付けないので、光が漏れることがない。また、テープを表地と裏地の間に挟むので、カーテン裏側の美感も保つことができる。
【発明を実施するための最良の形態】
【０００９】
本発明は、カーテン表側にリングテープの縫い目を付けることなく、裏側にリングを縫い付けるという目的を、裏地の内面に複数のテープを縦方向に縫合した上で、前記裏地の内面と表地の内面とを合わせた状態で表地に対し前記テープを熱圧着し、前記裏地の外側から裏地を通して前記テープに複数のリングを縫合することにより実現した。
【実施例１】
【００１０】
以下に、添付図面に基づいて、本発明であるシェードカーテンについて詳細に説明する。図１は、本発明であるシェードカーテンの図である。
【００１１】
シェードカーテン１は、裏地３の内面に複数のテープ４を縦方向に縫合した上で、前記裏地３の内面と表地２の内面とを合わせた状態で表地２に対し前記テープ４を熱圧着し、前記裏地３の外側から裏地３を通して前記テープ４に複数のリング３ｂを縫合することにより、カーテン表側に縫い目を付けることなくカーテン裏側にリング３ｂを取り付けることを特徴とする。
【００１２】
シェードカーテン１は、窓の上部に設置されたヘッドボックス２ａに、カーテン生地の上端を貼付することで吊り下げ、ヘッドボックス２ａから延びる操作ひも２ｂを引いたり緩めたりすることで、カーテン生地の下端を持ち上げたり降ろしたりする。
【００１３】
カーテン生地は、表地２と裏地３を合わせたもので、主として表地２にデザインを施して美感を出す。尚、窓に設置することから、裏地３が屋外に曝される可能性があり、裏地３の美感にも気を配ることが好ましい。
【００１４】
カーテン生地は、ブラインドのように昇降するが、ブラインドとは異なり、１枚の布地であるので、引き上げると下方は一定間隔で畳まれ襞状になる。そのため、綺麗に折り畳まれるような生地構成を有することが必要である。
【００１５】
図２は、本発明であるシェードカーテンの裏面を示す図である。シェードカーテン１について、カーテン生地から操作ひも２ｂを取り除き、そのカーテン生地をヘッドボックス２ａから剥がした状態である。
【００１６】
カーテン生地は、表地２と裏地３の四端を縫い合わせ、上端と下端を縁部３ｃとして仕上げる。上端から下端に至る数ヶ所には裏地３のみ縫い目３ａが施され、縫い目３ａの位置で表地２と裏地３とが離れないように内側同士が接合される。
【００１７】
また、裏地３の上部には、カーテン生地をヘッドボックス２ａに取り付けるための面ファスナー３ｄが取り付けられ、縫い目３ａ上には操作ひも２ｂを通すために複数のリング３ｂが設けられる。
【００１８】
尚、操作ひも２ｂを付ける際は、ヘッドボックス２ａでリング３ｂの列数だけ分岐させ、先端にフック等を設けて一番下のリング３ｂに掛けたり、一番下のリング３ｂに結び付けるなどして、同時に各列を引けるようにする。
【００１９】
図３は、本発明であるシェードカーテンの裏地を捲った状態の図である。カーテン生地は、表地２と裏地３が縫い合わされているので、それを剥がして内部を見れる状態にしたものである。
【００２０】
裏地３に縫い目３ａが施されている箇所において、表地２と裏地３の間にはテープ４が存在する。テープ４は、裏側が表地２に粘着し、表側が裏地３に縫着される。尚、リング３ｂは、裏地３及びテープ４に縫着される。
【００２１】
即ち、テープ４と裏地３を縫い合わせ、リング３ｂの縫い付けもテープ４までにすることにより、縫い目３ａが表地２に現れないようにしており、且つ、テープ４を介して表地２と裏地３を接合しているのである。
【００２２】
図４は、本発明であるシェードカーテンの表地の内面を示す図である。カーテン生地の表地２と裏地３の縫合を解いて裏地３を取り除き、表地２の内面にテープ４が貼着された状態である。
【００２３】
表地２の内面には、裏側に接着剤４ａの付いたテープ４を熱圧着することにより貼り付ける。熱で接着剤４ａを溶かしつつ生地にテープ４を押し付けることにより、強固に接着することができる。
【００２４】
図５は、本発明であるシェードカーテンの製造方法を示す図である。シェードカーテンは、まず表地２と裏地３を選定し、以下に示す工程によりカーテン生地を生成し、仕上げを施すことにより完成する。
【００２５】
第１に、裏地３の内面に上下方向かつ間欠的に複数のテープ４を縫合する。テープ４を縫い付ける位置は、裏地３の外側に操作ひも２ｂを通すためのリング３ｂ列が取り付けられる箇所である。テープ４の表面には固形の接着剤４ａが付いており、テープ４の裏面を裏地３の内面に当てる。
【００２６】
第２に、表地２の内面と裏地３の内面を合わせ、裏地３に縫合したテープ４と表地２とを熱圧着する。表地２と裏地３が重なった状態で、テープ４のある位置に対し、熱を加えて接着剤４ａを溶かしながら圧力を加える。テープ４は表地２と裏地３の間に挟まれ、両方を接合させる。
【００２７】
第３に、裏地３の縫い目３ａに沿って、一定間隔ごとにリング４を縫合する。尚、リング４は裏地３の外面から裏地３を通してテープ４に至るまで縫い付けるが、表地２には達しないようにする。
【００２８】
第４に、表地２と裏地３の端部を縫合し、上部と下部については折り返しを施すなどして縁部３ｃを形成する。尚、裏面の上部には面ファスナー３ｄを取り付けることで、ヘッドボックス２ａと着脱可能にする。
【００２９】
最後に、生成したカーテン生地をヘッドボックス２ａに取り付ける。ヘッドボックス２ａから延びる操作ひも２ｂを各リング３ｂ列に通し、フック等で最下段のリング４に固定することにより、カーテン生地の昇降を可能にする。
【００３０】
表地２については、縫い目が存在しないので、デザインを楽しむことができる上に、確実に遮光することができる。裏地３については、縫い目３ａとリング４が存在するものの、テープ４が隠されるので、デザインの阻害が最小限である。
【００３１】
また、表地２と裏地３が縫い目３ａの位置で張り付いており、片方のみ引っ張られたりすることがないので、カーテン上昇時の皺形成や、カーテン下降時の拡開もスムーズに行うことができる。
【図面の簡単な説明】
【００３２】
【図１】本発明であるシェードカーテンの図である。
【図２】本発明であるシェードカーテンの裏面を示す図である。
【図３】本発明であるシェードカーテンの裏地を捲った状態の図である。
【図４】本発明であるシェードカーテンの表地の内面を示す図である。
【図５】本発明であるシェードカーテンの製造方法を示す図である。
【図６】従来のシェードカーテンの図である。
【符号の説明】
【００３３】
１        シェードカーテン
２        表地
２ａ      ヘッドボックス
２ｂ      操作ひも
３        裏地
３ａ      縫い目
３ｂ      リング
３ｃ      縁部
３ｄ      面ファスナー
４        テープ
４ａ      接着剤
５        シェードカーテン
５ａ      生地
５ｂ      リングシート
５ｃ      リング
５ｄ      操作ひも
【図１】
2010022478.tif 000003
【図２】
2010022478.tif 000004
【図３】
2010022478.tif 000005
【図４】
2010022478.tif 000006
【図５】
2010022478.tif 000007
【図６】
2010022478.tif 000008